(57)【要約】【課題】使用中の突発的な分解を起し難いコード式刈払機の刈払ヘッドを提供する。【解決手段】可撓性のコードを高速回転させて草を刈るコード式刈払機の刈払ヘッドである。刈払ヘッドは、円筒状のハウジング１０とカバー１５とが、ハウジングに突設された係止爪１３ａと、カバー１５に凹設された係止受部１７ａとの係合により着脱可能に組み付けられる。係止爪１３ａ及び係止受部１７ａは２組み設けられている。係止爪１３ａの周方向の両端部は、係止爪１３ａの中央部よりも突出している。【選択図】図１
2014018176.tif 000002
【特許請求の範囲】
【請求項１】
可撓性のコードを高速回転させて草を刈るコード式刈払機の刈払ヘッドにおいて、
該刈払ヘッドは、円筒状のハウジングとカバーとが、該ハウジング又は該カバーに突設された係止爪と、該ハウジング又は該カバーに凹設された係止受部との係合により着脱可能に組み付けられ、
該係止爪は該ハウジング又は該カバーの一方に１又は２以上設けられ、該係止受部は該ハウジング又は該カバーの他方に１又は２以上設けられ、
該係止爪の周方向の両端部は、該係止爪の中央部よりも突出していることを特徴とするコード式刈払機の刈払ヘッド。
【請求項２】
前記係止爪の基端部及び先端部に接する仮想平面と、前記ハウジング又は前記カバーとのなす角は鋭角であることを特徴とする請求項１記載のコード式刈払機の刈払ヘッド。
【発明の詳細な説明】
【技術分野】
【０００１】
本発明は、可撓性のコードを高速回転させて草を刈るコード式刈払機の刈払ヘッドに関する。
【背景技術】
【０００２】
可撓性のコードを高速回転させて草を刈るコード式刈払機の刈払ヘッドとして、図８に示す構成のものが知られている。刈払ヘッドは、操作棹（図示なし）の先端部に取付けられ、モータ等の駆動源により回転駆動される。この刈払ヘッドは、ハウジング９０及びカバー９５を有している。ハウジング９０は、薄肉の有蓋円筒状をなし、蓋部９１と、蓋部９１と一体成形された円筒部９２とから構成されている。円筒部９２の２箇所には係止片９３が設けられ、各係止片９３の下端には係止爪９３ａが外方向に突設されている。また、各係止片９３の両端にはスリット９２ａが円筒部９２の下端縁から切り込まれている。
【０００３】
カバー９５は、円盤状の円盤部９６と、円盤部９６と一体成形された壁部９７とを有している。壁部９７は、円盤部９６の外周にリング状に立設され、断面が上部ほど薄肉になる略直角三角形状をなしている。また、壁部９７の２箇所には係止受部９７ａが凹設されている。この係止受部９７ａは、ハウジング９０の係止爪９３ａと対応する位置に設けられている。
【０００４】
ハウジング９０内には、ナット９４ａ、スプリング９４ｂ、コード９４ｃ、及びリール９４ｄが収納されている。ナット９４ａはハウジング９０を操作棹（図示なし）に取付けるものであり、スプリング９４ｂはリール９４ｄ及びカバー９５をハウジング９０と離反する方向に押圧するものである。また、リール９４ｄの外周面にはコード９４ｃが巻回され、カバー９５に取付けられた２つの口金９４ｅからコード９４ｃの先端が導出される。
【０００５】
図９は、ハウジング９０とカバー９５とが組み付けられた刈払ヘッドの平面図である。ただし、カバー９５の係止受部９７ａ近傍のみを、蓋部９１と平行な平面で切断して示したものである。また、図１０もハウジング９０とカバー９５とが組み付けられた刈払ヘッドの正面図であるが、リール９４ｄ等の記載を省略し、蓋部９１と垂直な平面で切断して示したものである。図９及び図１０に示すように、係止爪９３ａは、一端面が係止片９３の下端部から垂直に突出する第１凸面９３ｂと、第１凸面９３ｂの他端面から垂直下方に続く第２凸面９３ｃとを有している。この第２凸面９３ｃは、円筒部９２の外周面と同心面である。また、係止受部９７ａは、一端面が壁部９７の内周面から垂直に続く第１凹面９７ｂと、第１凹面９７ｂ他端面から垂直下方に続く第２凹面９７ｃとを有している。第２凹面９７ｃは、壁部９７の内周面と同心面である。
【０００６】
カバー９５の壁部９７にハウジング９０の円筒部９２を嵌入すると、まず、壁部９７の内周面により係止爪９３ａが押され、係止片が撓んで係止爪９３ａが内側に移動する。そして、係止爪９３ａが係止受部９７aに達すると、係止爪９３ａへの荷重が取り除かれるため、係止片の撓みが取り除かれて係止爪９３ａが外方向に移動して元の位置に戻る。これにより、係止受部９７ａに係止爪９３ａが係合され、ハウジング９０とカバー９５とが組み付けられる。この際、第１凸面９３ｂと第１凹面９７ｂとは当接している。
【０００７】
以上のように組み付けられた刈払ヘッドを操作棹の先端部に取付け、モータ等の駆動源により回転駆動させると、図１１に示すように、刈払ヘッドはＸ方向に高速回転し、コード９４ｃも高速回転する。こうして、この刈払ヘッドを用いて草を刈ることができる。このような刈払ヘッドとして、例えば、特許文献１に記載された刈払ヘッドがある。
【先行技術文献】
【特許文献】
【０００８】
【特許文献１】特開２００２−２９１３１５号公報
【発明の概要】
【発明が解決しようとする課題】
【０００９】
しかし、この刈払ヘッドを用いて草刈作業を行うと、コード９４ｃに草や雑木からいろいろな負荷を受けるほか、カバー９５が石等に接触したりする。そのため、ハウジング９０やカバー９５には、図１１に示すように、Ｙ方向のみならずＺ方向の力が複雑に加わる。こうして、ハウジング９０やカバー９５に予期しない過負荷が加わると、図１２に示すように係止爪９３ａが変位してしまう。こうして、係止受部９７ａと係止爪９３ａとの係合が外れ、ハウジング９０とカバー９５とが突発的に分解してしまう。
【００１０】
本発明はかかる従来の問題点に鑑みてなされたものであり、使用中の突発的な分解を起し難いコード式刈払機の刈払ヘッドを提供するものである。
【課題を解決するための手段】
【００１１】
上記の課題を解決するために、請求項１に係るコード式刈払機の刈払ヘッドの特徴は、可撓性のコードを高速回転させて草を刈るコード式刈払機の刈払ヘッドにおいて、該刈払ヘッドは、円筒状のハウジングとカバーとが、該ハウジング又は該カバーに突設された係止爪と、該ハウジング又は該カバーに凹設された係止受部との係合により着脱可能に組み付けられ、該係止爪は該ハウジング又は該カバーの一方に１又は２以上設けられ、該係止受部は該ハウジング又は該カバーの他方に１又は２以上設けられ、該係止爪の周方向の両端部は、該係止爪の中央部よりも突出していることである。
【００１２】
請求項２に係るコード式刈払機の刈払ヘッドの特徴は、前記係止爪の基端部及び先端部に接する仮想平面と、前記ハウジング又は前記カバーとのなす角は鋭角であることである。
【発明の効果】
【００１３】
請求項１に係るコード式刈払機の刈払ヘッドにおいては、係止爪の周方向の両端部が係止爪の中央部よりも突出している。そのため、刈払ヘッドの周方向に過負荷が加わって係止爪が多少変位した場合であっても、係止受部と係止爪との係合が外れ難い。したがって、このコード式刈払機の刈払ヘッドによれば、使用中における刈払ヘッドの突発的な分解が起こり難い。
【００１４】
請求項２に係るコード式刈払機の刈払ヘッドにおいては、係止爪の周方向の両端部が係止爪の中央部よりも突出しているだけでなく、係止爪の基端部及び先端部に接する仮想平面と、ハウジング又はカバーとのなす角は鋭角である。そのため、刈払ヘッドの軸方向に過負荷が加わって係止爪が多少変位した場合であっても、係止受部と係止爪との係合が外れ難い。したがって、このコード式刈払機の刈払ヘッドによれば、使用中における刈払ヘッドの突発的な分解が更に起こり難い。
【図面の簡単な説明】
【００１５】
【図１】実施形態１のコード式刈払機の刈払ヘッドの一部破断平面図。
【図２】実施形態１〜３のコード式刈払機の刈払ヘッドの断面図。
【図３】実施形態１のコード式刈払機の刈払ヘッドの一部破断平面図。
【図４】実施形態２のコード式刈払機の刈払ヘッドに係り、ハウジングの平面図。
【図５】実施形態３のコード式刈払機の刈払ヘッドに係り、ハウジングの平面図。
【図６】実施形態４のコード式刈払機の刈払ヘッドの断面図。
【図７】実施形態５のコード式刈払機の刈払ヘッドの断面図。
【図８】従来のコード式刈払機の刈払ヘッドの分解斜視図。
【図９】従来のコード式刈払機の刈払ヘッドの一部破断平面図。
【図１０】従来のコード式刈払機の刈払ヘッドの断面図。
【図１１】従来のコード式刈払機の刈払ヘッドの平面図。
【図１２】従来のコード式刈払機の刈払ヘッドの一部破断平面図。
【発明を実施するための形態】
【００１６】
本発明に係るコード式刈払機の刈払ヘッドを具体化した実施形態１〜５を図面に基づいて以下に説明する。ただし、実施形態１〜５において、基本的な構成は図８に示した従来のものと同様であり、同様の構成については同じ記号を使用するものとする。
【００１７】
まず、実施形態１のコード式刈払機の刈払ヘッドについて説明する。図１は刈払ヘッドの一部破断平面図であり、カバー１５の係止受部１７ａ近傍のみを、蓋部１１と平行な平面で切断して示したものである。図２は刈払ヘッドの断面図であり、リール９４ｄ等の記載を省略し、蓋部１１と垂直な平面で切断して示したものである。図１及び図２に示すように、刈払ヘッドは、ハウジング１０及びカバー１５を有している。ハウジング１０は、薄肉の有蓋円筒状をなし、蓋部１１と、蓋部１１と一体成形された円筒部１２とから構成されている。円筒部１２の２箇所には係止片１３が設けられ、各係止片１３の下端には係止爪１３ａが外方向に突設されている。また、各係止片１３の両端にはスリットが円筒部１２の下端縁から切り込まれている。
【００１８】
カバー１５は、円盤状の円盤部１６と、円盤部１６と一体成形された壁部１７とを有している。壁部１７は、円盤部１６の外周にリング状に立設され、断面が上部ほど薄肉になる略直角三角形状をなしている。また、壁部１７の２箇所には係止受部１７ａが凹設されている。この係止受部１７ａは、ハウジング１０の係止爪１３ａと対応する位置に設けられている。
【００１９】
係止爪１３ａは、一端面が係止片１３の下端部から垂直に突出する第１凸面１３ｂと、第１凸面１３ｂの他端面から垂直下方に続く第２凸面１３ｃとを有している。この第２凸面１３ｃは円弧状に湾曲し、周方向の両端部は中央部よりも突出している（図１参照）。また、係止受部１７ａは、一端面が壁部１７の内周面から垂直に続く第１凹面１７ｂと、第１凹面１７ｂ他端面から垂直下方に続く第２凹面１７ｃとを有している。第２凹面１７ｃは、係止爪１３ａの第２凸面１３ｃと同心面である。
【００２０】
上記の構成をした刈払ヘッドについて、ハウジング１０とカバー１５との組み付け、及び動作について説明する。カバー１５の壁部１７にハウジング１０の円筒部１２を嵌入すると、まず、壁部１７の内周面により係止爪１３ａが押され、係止片１３が撓んで係止爪１３ａが内側に移動する。そして、係止爪１３ａが係止受部１７aに達すると、係止爪１３ａへの荷重が取り除かれるため、係止片の撓みが取り除かれて係止爪１３ａが外方向に移動して元の位置に戻る。これにより、係止受部１７ａに係止爪１３ａが係合され、ハウジング１０とカバー１５とが組み付けられる。この際、第１凸面１３ｂと第１凹面１７ｂとは当接している。なお、カバー１５については、図３に示すように、係止爪１３ａの第２凸面１３ｃと対向する係止受部１７ｄの第２凹面１７ｆを壁部１７の内周面と同心面とすることもできる。
【００２１】
実施形態１のコード式刈払機の刈払ヘッドにおいては、第２凸面１３ｃが円弧状に湾曲し、周方向の両端部は中央部よりも突出している。そのため、刈払ヘッドの周方向に過負荷が加わって係止爪１３ａが多少変位した場合であっても、第２凸面１３ｃの両端部が肉厚になっているため、係止受部１７ａと係止爪１３ａとの係合が外れ難い。したがって、このコード式刈払機の刈払ヘッドによれば、使用中における刈払ヘッドの突発的な分解が起こり難い。
【００２２】
次に、実施形態２のコード式刈払機の刈払ヘッドについて説明する。図４は刈払ヘッドのハウジング２０の平面図である。図２及び図４に示すように、刈払ヘッドは、ハウジング２０及びカバー２５を有している。ハウジング２０は、薄肉の有蓋円筒状をなし、蓋部２１と、蓋部２１と一体成形された円筒部２２とから構成されている。円筒部２２の２箇所には係止片２３が設けられ、各係止片２３の下端には係止爪２３ａが外方向に突設されている。また、各係止片２３の両端にはスリットが円筒部２２の下端縁から切り込まれている。
【００２３】
カバー２５は、円盤状の円盤部２６と、円盤部２６と一体成形された壁部２７とを有している。壁部２７は、円盤部２６の外周にリング状に立設され、断面が上部ほど薄肉になる略直角三角形状をなしている。また、壁部２７の２箇所には係止受部２７ａが凹設されている。この係止受部２７ａは、ハウジング２０の係止爪２３ａと対応する位置に設けられている。
【００２４】
係止爪２３ａは、一端面が係止片２３の下端部から垂直に突出する第１凸面２３ｂと、第１凸面２３ｂの他端面から垂直下方に続く第２凸面２３ｃとを有している。この第２凸面２３ｃは円筒部２２の外周面と同心面であり、周方向の両端部には断面が三角形状の突起２３ｄが径方向に突設されている（図４参照）。また、係止受部２７ａは、一端面が壁部２７の内周面から垂直に続く第１凹面２７ｂと、第１凹面２７ｂ他端面から垂直下方に続く第２凹面２７ｃとを有している。第２凹面２７ｃは、係止爪２３ａの第２凸面２３ｃと同形状をしている。なお、ハウジング２０とカバー２５との組み付け、及び動作については、実施形態１と同様であり、その説明を省略する。また、カバー２５については、図３に示すものを用いてもよい。
【００２５】
実施形態２のコード式刈払機の刈払ヘッドにおいては、第２凸面２３ｃは円筒部２２の外周面と同心面であり、周方向の両端部には断面が三角形状の突起２３ｄが径方向に突設されている。そのため、刈払ヘッドの周方向に過負荷が加わって係止爪２３ａが多少変位した場合であっても、この突起２３ｄにより係止受部２７ａと係止爪２３ａとの係合が外れ難い。したがって、このコード式刈払機の刈払ヘッドによれば、使用中における刈払ヘッドの突発的な分解が起こり難い。
【００２６】
次に、実施形態３のコード式刈払機の刈払ヘッドについて説明する。図５は刈払ヘッドのハウジング３０の平面図である。図２及び図５に示すように、刈払ヘッドは、ハウジング３０及びカバー３５を有している。ハウジング３０は、薄肉の有蓋円筒状をなし、蓋部３１と、蓋部３１と一体成形された円筒部３２とから構成されている。円筒部３２の２箇所には係止片３３が設けられ、各係止片３３の下端には係止爪３３ａが外方向に突設されている。また、各係止片３３の両端にはスリットが円筒部３２の下端縁から切り込まれている。
【００２７】
カバー３５は、円盤状の円盤部３６と、円盤部３６と一体成形された壁部３７とを有している。壁部３７は、円盤部３６の外周にリング状に立設され、断面が上部ほど薄肉になる略直角三角形状をなしている。また、壁部３７の２箇所には係止受部３７ａが凹設されている。この係止受部３７ａは、ハウジング３０の係止爪３３ａと対応する位置に設けられている。
【００２８】
係止爪３３ａは、一端面が係止片３３の下端部から垂直に突出する第１凸面３３ｂと、第１凸面３３ｂの他端面から垂直下方に続く第２凸面３３ｃとを有している。この第２凸面３３ｃは円筒部３２の外周面と同心面であり、周方向の両端部には断面が四角形状の突起３３ｄが径方向に突設されている（図５参照）。また、係止受部３７ａは、一端面が壁部３７の内周面から垂直に続く第１凹面３７ｂと、第１凹面３７ｂ他端面から垂直下方に続く第２凹面３７ｃとを有している。第２凹面３７ｃは、係止爪３３ａの第２凸面３３ｃと同形状をしている。なお、ハウジング３０とカバー３５との組み付け、及び動作については、実施形態１と同様であり、その説明を省略する。また、カバー３５については、図３に示すものを用いてもよい。
【００２９】
実施形態３のコード式刈払機の刈払ヘッドにおいては、第２凸面３３ｃは円筒部２２の外周面と同心面であり、周方向の両端部には断面が四角形状の突起３３ｄが径方向に突設されている。そのため、刈払ヘッドの周方向に過負荷が加わって係止爪３３ａが多少変位した場合であっても、この突起３３ｄにより係止受部３７ａと係止爪３３ａとの係合が外れ難い。したがって、このコード式刈払機の刈払ヘッドによれば、使用中における刈払ヘッドの突発的な分解が起こり難い。
【００３０】
次に、実施形態４のコード式刈払機の刈払ヘッドについて説明する。図６は刈払ヘッドの断面図であり、リール９４ｄ等の記載を省略し、蓋部４１と垂直な平面で切断して示したものである。図６に示すように、刈払ヘッドは、ハウジング４０及びカバー４５を有している。ハウジング４０は、薄肉の有蓋円筒状をなし、蓋部４１と、蓋部４１と一体成形された円筒部４２とから構成されている。円筒部４２の２箇所には係止片４３が設けられ、各係止片４３の下端には係止爪４３ａが外方向に突設されている。また、各係止片４３の両端にはスリットが円筒部４２の下端縁から切り込まれている。
【００３１】
カバー４５は、円盤状の円盤部４６と、円盤部４６と一体成形された壁部４７とを有している。壁部４７は、円盤部４６の外周にリング状に立設され、断面が上部ほど薄肉になる略直角三角形状をなしている。また、壁部４７の２箇所には係止受部４７ａが凹設されている。この係止受部４７ａは、ハウジング４０の係止爪４３ａと対応する位置に設けられている。
【００３２】
係止爪４３ａは、一端面が係止片４３の下端部から突出する第１凸面４３ｂと、第１凸面４３ｂの他端面から垂直下方に続く第２凸面４３ｃとを有している。この第１凸面４３ｂの基端部と先端部とに接する仮想平面Ｐ１が、円筒部４２の外周面となす角θ１は鋭角になっている。なお、仮想平面Ｐ１は、第１凸面４３ｂと一致している。また、第２凸面４３ｃは、実施形態１〜３の第２凸面１３ｃ、２３ｃ、３３ｃのうちのいずれかの形状と同じである。係止受部４７ａは、一端面が壁部４７の内周面から内側に続く第１凹面４７ｂと、第１凹面４７ｂ他端面から垂直下方に続く第２凹面４７ｃとを有している。第１凹面４７ｂは、係止爪４３ａの第１凸面４３ｂと同形状をしている。また、第２凹面４７ｃは、壁部４７の内周面と同心面である。なお、ハウジング４０とカバー４５との組み付け、及び動作については、実施形態１と同様であり、その説明を省略する。
【００３３】
実施形態４のコード式刈払機の刈払ヘッドにおいては、第１凸面４３ｂと円筒部４２の外周面とのなす角θが鋭角である。これにより、刈払ヘッドの軸方向に過負荷が加わって係止爪４３ａが多少変位した場合であっても、第１凸面４３ｂと第１凹面４７ｂとの係合が外れ難い。そのため、刈払ヘッドの径方向のみならず、軸方向の過負荷に対しても第１凸面４３ｂと第１凹面４７ｂとの係合が外れ難くなる。したがって、このコード式刈払機の刈払ヘッドによれば、使用中における刈払ヘッドの突発的な分解が更に起こり難い。
【００３４】
次に、実施形態５のコード式刈払機の刈払ヘッドについて説明する。図７は刈払ヘッドの断面図であり、リール９４ｄ等の記載を省略し、蓋部５１と垂直な平面で切断して示したものである。図７に示すように、刈払ヘッドは、ハウジング５０及びカバー５５を有している。ハウジング５０は、薄肉の有蓋円筒状をなし、蓋部５１と、蓋部５１と一体成形された円筒部５２とから構成されている。円筒部５２の２箇所には係止片５３が設けられ、各係止片５３の下端には係止爪５３ａが外方向に突設されている。また、各係止片５３の両端にはスリットが円筒部５２の下端縁から切り込まれている。
【００３５】
カバー５５は、円盤状の円盤部５６と、円盤部５６と一体成形された壁部５７とを有している。壁部５７は、円盤部５６の外周にリング状に立設され、断面が上部ほど薄肉になる略直角三角形状をなしている。また、壁部５７の２箇所には係止受部５７ａが凹設されている。この係止受部５７ａは、ハウジング５０の係止爪５３ａと対応する位置に設けられている。
【００３６】
係止爪５３ａは、一端面が係止片５３の下端部から突出する第１凸面５３ｂと、第１凸面５３ｂの他端面から垂直下方に続く第２凸面５３ｃとを有している。この第１凸面５３ｂの先端部には、断面四角形状の突起５３ｄが立設されている。そして、第１凸面５３ｂの基端部と突起５３ｄ（先端部）とに接する仮想平面Ｐ２が、円筒部５２の外周面となす角θ２は鋭角になっている。また、第２凸面５３ｃは、実施形態１〜３の第２凸面１３ｃ、２３ｃ、３３ｃのうちのいずれかの形状と同じである。
係止受部５７ａは、一端面が壁部５７の内周面から垂直に続く第１凹面５７ｂと、第１凹面５７ｂ他端面から垂直下方に続く第２凹面５７ｃとを有している。第１凹面５７ｂは、係止爪５３ａの第１凸面５３ｂと同形状をしている。また、第２凹面５７ｃは、壁部５７の内周面と同心面である。なお、ハウジング５０とカバー５５との組み付け、及び動作については、実施形態１と同様であり、その説明を省略する。
【００３７】
実施形態５のコード式刈払機の刈払ヘッドにおいては、第１凸面５３ｂの基端部と突起５３ｄとに接する仮想平面Ｐ２が、円筒部５２の外周面となす角θ２は鋭角になっている。これにより、刈払ヘッドの軸方向に過負荷が加わって係止爪５３ａが多少変位した場合であっても、第１凸面５３ｂと第１凹面５７ｂとの係合が外れ難い。そのため、刈払ヘッドの径方向のみならず、軸方向の過負荷に対しても第１凸面５３ｂと第１凹面５７ｂとの係合が外れ難くなる。したがって、このコード式刈払機の刈払ヘッドによれば、使用中における刈払ヘッドの突発的な分解が更に起こり難い。
【００３８】
以上、本発明のコード式刈払機の刈払ヘッドを実施形態１〜５に即して説明したが、本発明はこれらに制限されるものではなく、本発明の技術的思想に反しない限り、適宜変更して適用できることはいうまでもない。例えば、実施形態１〜５において、係止爪をハウジング側、係止受部をカバー側に設けたが、係止爪をカバー側、係止受部をハウジング側に設けてもよい。また、係止爪及び係止受部を２組設けたが、１組だけでもよく、３組以上設けてもよい。
【符号の説明】
【００３９】
１０，２０，３０，４０，５０…ハウジング、１１，２１，３１，４１，５１…蓋部、１２，２２，３２，４２，５２…円筒部、１３，２３，３３，４３，５３…係止片、１３ａ，２３ａ，３３ａ，４３ａ，５３ａ…係止爪、１５，２５，３５，４５，５５…カバー、１６，２６，３６，４６，５６…円盤部、１７，２７，３７，４７，５７…壁部、１７ａ，２７ａ，３７ａ，４７ａ，５７ａ…係止受部、９４ｃ…コード、Ｐ１，Ｐ２…仮想平面。
【図１】
2014018176.tif 000003
【図２】
2014018176.tif 000004
【図３】
2014018176.tif 000005
【図４】
2014018176.tif 000006
【図５】
2014018176.tif 000007
【図６】
2014018176.tif 000008
【図７】
2014018176.tif 000009
【図８】
2014018176.tif 000010
【図９】
2014018176.tif 000011
【図１０】
2014018176.tif 000012
【図１１】
2014018176.tif 000013
【図１２】
2014018176.tif 000014